(57)【特許請求の範囲】
【請求項１】
周壁に環状溝部を形成した二軸延伸ブロー成形容器において、
前記環状溝部の下方に、容器外方に凸となる形状の横リブを連接し、該横リブの下方には、容器内方に凸となる凹状に形成され、パネル相互が外方に凸状の柱部によって区画された減圧吸収パネルが、その上端部を前記横リブに実質的に隣接して形成されて、且つ、減圧吸収パネルの上方に周壁部が存在しないことを特徴とする二軸延伸ブロー成形容器。
【発明の詳細な説明】
【０００１】
【発明の属する技術分野】
本発明は、二軸延伸ブロー成形容器に関し、より詳しくは、加熱状態の果汁、ウーロン茶等を充填した後の冷却に伴う減圧によって生じる容器の変形を、減圧吸収パネルの構造あるいは位置等を考慮して吸収するようにした二軸延伸ブロー成形容器に関する。
【０００２】
【従来の技術】
従来より、ポリエチレンテレフタレート（ＰＥＴ）等の熱可塑性ポリエステルの二軸延伸ブロー成形容器は、優れた透明性や表面光沢を有し、耐衝撃性、ガスバリヤー性等を有し、各種飲料用の容器として広く利用されている。この二軸延伸ブロー成形容器は、１．５ないし２リットル入りの容量の比較的大きな丸形ボトルが大半であり、その使用状況は、果汁、ウーロン茶等の各種飲料を９０℃前後に加熱した後、前記ブロー成形容器に充填し、蓋をキャッピングして密封し、その後、冷却して再び常温に戻してから出荷される。この丸形ボトルは充填密封後に膨張し、その後、冷却時にボトル内が減圧になることによって収縮し変形するために、図４に示すように、周壁ａに環状溝部ｂを形成し、その下方にボトル胴部ｃの長さＬ1 に対して大きな比率を占める長さＬ2 を有する複数の減圧吸収パネルｄを設けると共に、これらの間に柱部ｅを構成して、これら減圧吸収パネルｄにより収縮変形を吸収している。
また上記飲料の充填方法としては、無菌充填法も存在するが、ウーロン茶等は充填後、容器内が減圧となる傾向があり、同様に成形容器が収縮変形を吸収している。
【０００３】
【発明が解決しようとする課題】
上記従来の二軸延伸ブロー成形容器は、１．５ないし２リットル入りの比較的大容量の丸形ボトルであるから、充填密封後の冷却時における減圧による収縮変形が、上記構成の複数の減圧吸収パネルにより吸収され、変形による外見上の見栄えにおいては特に問題がなかった。しかしながら、最近、小容量、すなわち２００ないし９００ｍｌ程度の小容量の二軸延伸ブロー成形容器の需要が高まり、生産量が増えると共に、加熱殺菌し膨張した後の冷却に伴う減圧による変形が目立つようになった。
【０００４】
この変形は、減圧吸収パネルｄが凹状に変形し、特にストレート形状の柱部ｅが凹状に変形して見栄えが著しく低下し、しかも強度も低下するという問題を有している。これは、同じ構造の二軸延伸ブロー成形容器であっても、大容量である場合は、充填密封後の膨張した後の減圧量が相対的に少なく、現状の減圧吸収パネルｄが凹状に変形することにより充分吸収できるのに対して、小容量である場合は、減圧量が相対的に大きくなり、現状の減圧吸収パネルｄによっては吸収できないことによる。
【０００５】
そのため、胴部の剛性を向上させるために、容器の肉厚を薄くすることができないので、多くの材料を用いて容器を成形せざるを得なかった。
また、この丸形ボトルが小容量になると、減圧吸収量を大きくするため、減圧吸収パネルｄの軸方向の長さをボトル胴部ｃに対して大きくすると、丸形ボトルの胴部に内容物の表示ならびに商品価値を高めるためのラベルを貼りつけるスペースが小さくなり、不都合が生じる。
【０００６】
そこで、本発明の目的は、小容量であっても強度低下を起こすこと無く変形を吸収できて、見栄えが良く、また、より少ない量の材料で成形を可能として、しかもその減圧吸収パネルを小さくすることによりラベル貼りのスペースを十分に確保した二軸延伸ブロー成形容器を提供することにある。
【０００７】
【課題を解決するための手段】
本発明は、上記目的を達成するために提案されたものであって、下記の構成からなることを特徴としている。
すなわち、本発明によれば、周壁に環状溝部を形成した二軸延伸ブロー成形容器において、前記環状溝部の下方に、容器外方に凸となる形状の横リブを連接し、該横リブの下方には、容器内方に凸となる凹状に形成され、パネル相互が外方に凸状の柱部によって区画された減圧吸収パネルが、その上端部を前記横リブに実質的に隣接して形成されて、且つ、減圧吸収パネルの上方に周壁部が存在しないことを特徴とする二軸延伸ブロー成形容器が提供される。
【０００８】
【発明の実施の形態】
以下に、図面を参照して本発明の実施の形態を説明する。
図１は、本発明の実施形態の一例を示す二軸延伸ブロー成形容器の側面図であり、図２は、図１の半截部分の一部を示す側断面図である。
ブロー成形容器１は、これの周壁２に環状溝部３を形成しこの環状溝部３の下方に横リブ４を連接し、横リブ４の下方に形成した減圧吸収パネル５の上端部５ａが横リブ４に実質的に隣接して形成したものである。図３は、図１のＸ−Ｘ線に沿う断面図である。
【０００９】
減圧吸収パネル５は凹状に形成され、減圧吸収パネル５と減圧吸収パネル５の間には外方に凸状の柱部１１が形成される。つまり、減圧吸収パネル５と減圧吸収パネル５は、柱部１１によって区画されているものである。この減圧吸収パネル５は、その上端部５ａが減圧吸収時に外方に凸となる形状の横リブ４に実質的に隣接されており、且つ、減圧吸収パネルの上方に周壁部が存在しないことが重要であり、これによって、横リブ４による剛性向上を図ることができる。また、従来、密封後の冷却時に変形を生じ、柱部１１の変形に影響を及ぼしていた減圧吸収パネル５の上方に形成された周壁部が存在しないため、上記冷却時に柱部１１の変形が少なくなるという効果も得ることができる。なお、減圧吸収パネル５の下端部５ｂにも他の横リブ１０が隣接されていることが好ましく、これによって、この部分も横リブによる剛性向上が達成され、かつ、冷却時の柱部１１の変形が少なくなる。
【００１０】
また、上述の効果により、図１に示すように、減圧吸収パネル５の軸方向の長さが短くなり、ラベルを貼る周壁２の軸方向の長さを大きく取れるため、二軸延伸ブロー成形容器１にＰＲのためのラベル等を貼りつけるスペースが大きく取れるようになった。
【００１１】
以上、本発明を図面に基づいて説明したが、本発明の要旨を逸脱しない限りにおいて、これらの構成あるいはボトルにおける自明の構成を適宜組み合わせた態様も本発明の技術的範囲に包含されることは理解されるべきである。
【００１２】
【発明の効果】
本発明の容器によれば、大容量のものはもちろんのこと、小容量であっても強度低下を起こすことなく減圧時の変形を吸収できて、見栄えが良く、しかもその減圧吸収パネルを小さくすることが出来ることにより、ラベルを貼りやすくなり、商品価値を高めることができる。
また、胴部の剛性が向上するため、容器の肉厚を薄く成形できるので、従来のものより、少ない量の材料で目的とする容器を成形することができる。
【図面の簡単な説明】
【図１】本発明の実施形態の一例を示す二軸延伸ブロー成形容器の側面図である。
【図２】図１の半截部分の一部を示す側断面図である。
【図３】図１のＸ−Ｘ線に沿う断面図である。
【図４】従来例を示す側面図である。
【符号の説明】
１                        二軸延伸ブロー成形容器
２，ａ                    周壁
３，ｂ                    環状溝部
４，１０                  横リブ
５，ｄ                    減圧吸収パネル
５ａ                      上端部
５ｂ                      下端部
１１，ｅ                  柱部
【図１】
0003729148.tif 000002
【図２】
0003729148.tif 000003
【図３】
0003729148.tif 000004
【図４】
0003729148.tif 000005